(57)【特許請求の範囲】
【請求項１】
内側端部蝶番により枢着し開閉する方式の扉において、扉開閉時の旋回の遠心力によって扉の外側前方端部から前方斜め外側方に向かってせり出す杆体を該外側前方端部の凹部に設け、該杆体をストッパーとして当接するように形成したことを特徴とする指詰め防止装置付き扉。
【請求項２】
前記杆体の上面又は下面に係合突出部を設けると共に、前記扉の外側端部に形成の凹部内の下面又は上面に、前記杆体が該凹部内から前記扉の前方斜め外側方に向かってせり出し可能となるように前記係合突出部が係合する案内溝を斜方向に形成したことを特徴とする請求項１に記載の指詰め防止装置付き扉。
【請求項３】
前記杆体が前記扉の前方斜め外側方に向かってせり出した状態で該扉を閉めるとき、該扉の前端部と扉枠との間に人の指の厚さより大の空き間を形成したことを特徴とする請求項１又は２に記載の指詰め防止装置付き扉。
【請求項４】
前記杆体の前記係合突出部を除く外周は、弾性を有するゴム材で形成したことを特徴とする請求項２に記載の指詰め防止装置付き扉。
【請求項５】
前記杆体の中心にねじ穴を貫通させ、該ねじ穴に、該杆体の質量を調節可能に錘りを螺入したことを特徴とする請求項１乃至４のずれか１に記載の指詰め防止装置付き扉。
【請求項６】
前記杆体と前記凹部の内端との間を、遠心力で斜め外側方へせり出した該杆体が該凹部内に引き戻すスプリングにより連結したことを特徴とする請求項２に記載の指詰め防止装置付き扉。
【発明の詳細な説明】
【０００１】
【発明の属する技術分野】
本発明は住居その他の部屋の出入口扉において該扉が急に閉じたときの指詰め防止用の安全装置に関する。
【０００２】
【従来の技術】
蝶番を用いた開閉式扉が風等に煽られて急激に閉まるとき、該扉と扉枠との間に指を挟む危険性がある。
【０００３】
そこで従来は、扉と扉枠との間にオイルダンパー式のショックアブゾーバを介するようにして扉が急激に閉まることのないように工夫している。
【０００４】
【発明が解決しようとする課題】
ショックアブゾーバにより扉の開閉を遅くしても、子供等が扉と扉枠との間に指を挟む危険性があった。
【０００５】
又、ショックアブゾーバにより扉の開閉を余りに遅くすると、却って人の出入りに不具合を生ずるという問題があった。
【０００６】
本発明はこれらの問題点を解消し、扉の開閉速度を余り遅くすることなく扉の開閉を安全に行える指詰め防止装置付き扉を提供することを目的とする。
【０００７】
【課題を解決するための手段】
本発明は上記の目的を達成するべく内側端部蝶番により枢着し開閉する方式の扉において、扉開閉時の旋回の遠心力によって扉の外側前方端部から前方斜め外側方に向かってせり出す杆体を該外側前方端部の凹部に設け、該杆体をストッパーとして当接するように形成したことを特徴とする。
【０００８】
【発明の実施の形態】
本発明の第１の実施の形態を図１乃至図４により説明する。
【０００９】
図１は本発明の指詰め防止装置付き扉の第１の実施の形態の斜視図であり、Ａは扉、Ｂは扉枠、Ｃは該扉Ａを扉枠Ｂに取付けている蝶番を示す。
【００１０】
又、１、１は杆体で、扉Ａの外側端部Ｄの上端部と下端部の凹部Ａ１に設置されている。本図１は扉Ａを閉めた時の遠心力により該杆体１が扉Ａの前方向斜め外側方にせり出した状態で扉枠Ｂと干渉し、扉Ａの前端部Ｄと扉枠Ｂとの間に空き間Ｅを有して停止している状態を示す。
【００１１】
図２は図１におけるＸ−Ｘ断面を示す。前記杆体１の上下両面には係合突出部２、２があり、これら係合突出部２、２は平板状をなすと共に杆体１に対して斜方向に突出しており、該杆体１はこれら係合突出部２、２において、扉Ａの凹部Ａ１内の上下面に斜方向に設けられた案内溝Ａ２、Ａ２により滑動可能に係合されている。
【００１２】
これら案内溝Ａ２、Ａ２は、前記係合突出部２、２が前記杆体１に対して成す角度と同一の角度を扉Ａに対して存しており、又、これら案内溝Ａ２、Ａ２の長さは、該杆体１が扉Ａ内の静止位置に納まった状態及び該杆体１が扉Ａの前方向斜め外側方にせり出した状態において係合突出部２、２を収容し得るに必要充分な長さとなっている。
【００１３】
尚、３は該杆体１と前記凹部Ａ１の内端とを連結する弱いつる巻きばねからなるスプリングで、杆体１が遠心力で図１及び図２に示す位置に迄せり出した後に該遠心力が喪失すれば、該つる巻きばね３により杆体１は扉内の静止位置、即ち杆体１の隅角部１ａが凹部Ａ１の隅角部Ａ1aと当接する処迄引き戻される。
【００１４】
３ａはつる巻きばね３を前記杆体１に係止する金具であり、又、３ｂはつる巻きばね３を前記凹部Ａ１に係止する金具である。
【００１５】
図３は前記杆体１の斜視図であり、図４に該杆体１のＹ−Ｙ断面を示す。
【００１６】
杆体１は金属製の本体４の外周をゴム材４ａで被覆すると共に該本体４の芯部にはねじ穴５を貫通させ、該ねじ穴５内には質量調節のための錘り６がねじ込んで止めてある。
【００１７】
本第１の実施の形態の作用について説明する。
【００１８】
開放状態にあった扉Ａが急速に閉まる時、該扉Ａの旋回動作によって杆体１には遠心力が働き、杆体１は案内溝Ａ２に沿って前方斜め外側方にせり出す。
【００１９】
そして扉Ａは、図２及び図３に示すように、杆体１をストッパーとして扉枠Ｂに当接して止まるので、扉Ａと扉枠Ｂとの間には人の指が充分入る程度の空き間Ｅを存し、もし該扉Ａの閉鎖時に扉Ａと扉枠Ｂとの間に指があっても指詰め等の事故に到る心配がない。
【００２０】
この杆体１に働く遠心力Ｆは、扉Ａが閉まる時の旋回速度ｗの２乗、杆体１の質量Ｍ、及び蝶番のある回転中心から杆体１迄の距離Ｒにそれぞれ比例するので、杆体１の芯部にねじ込む錘り６を調節することによって杆体１の質量Ｍを調節し、杆体１に働く遠心力の強さを変えて扉Ａの旋回速度ｗと杆体１がせり出すタイミングとの関係を調節することができる。
【００２１】
杆体１の外周のゴム材４ａは該杆体１が扉枠Ｂと衝突時の衝撃を吸収する効果がある。
【００２２】
尚、本第１の実施の形態では、せり出した杆体１を扉Ａ内の静止位置Ａ１へ引き戻すのにつる巻きばね３を使用したが、このつる巻きばね３の使用を取り止め、必要に応じて人がせり出した杆体１を静止位置Ａ１に押し戻すようにしてもよい。
【００２３】
又、杆体１は金属性の本体部分４をダイキャスト製とし、外周に硬質ゴムからなるゴム材４ａを焼付けた構造としてもよい。
【００２４】
本発明の第２の実施の形態を図５乃至図７により説明する。
【００２５】
図５は図１におけるＸ−Ｘ断面の別の断面図であり、図６は図５のＺ−Ｚ断面を示し、図７は本第２の実施の形態における杆体１´の斜視図である。
【００２６】
本第２の実施の形態では、杆体１´は係合突出部２を該杆体１´の上面又は下面にのみ設けてあると共に、該係合突出部２の先端にダブテール状の拡がり部２ａを有している。
【００２７】
更に本第２の実施の形態では、該突出部２及びダブテール状の拡がり部２ａを収容し案内するための案内溝Ａ２及びＡ３を扉Ａの凹部Ａ１内に設置してある。Ａ４はこれら案内溝Ａ２及びＡ３を形成するために扉Ａに取付けたブラケットである。
【００２８】
本第２の実施の形態によれば、扉Ａの前端部Ｄの上端部及び下端部に設置された杆体１´、１´が片面のみで該扉Ａに係着されているため、これら杆体１´、１´の扉Ａへの取付けが簡単になる効果を有する。
【００２９】
【発明の効果】
本発明によれば、開閉式扉において、扉の開閉速度を余り遅くすることなく、指詰め防止装置の付いた安全な扉を提供することができる。
【図面の簡単な説明】
【図１】本発明の第１の実施の形態の指詰め防止装置付き扉の斜視図である。
【図２】図１のＸ−Ｘ断面図である。
【図３】該第１の実施の形態に示す杆体の斜視図である。
【図４】図３のＹ−Ｙ断面図である。
【図５】図１のＸ−Ｘ断面に相当する本発明の第２の実施の形態の断面図である。
【図６】図５のＺ−Ｚ断面図である。
【図７】該第２の実施の形態に示す杆体の斜視図である。
【符号の説明】
１、１´    杆体
２          係合突出部
３          つる巻きばね
4a          ゴム材
５          ねじ穴
６          錘り
Ａ          扉
A1          凹部
A2、A3      案内溝
【図１】
0003770641.tif 000002
【図２】
0003770641.tif 000003
【図３】
0003770641.tif 000004
【図４】
0003770641.tif 000005
【図５】
0003770641.tif 000006
【図６】
0003770641.tif 000007
【図７】
0003770641.tif 000008